(57)【要約】  簡易な操作で、正しい観察を可能とする顕微鏡装置および顕微鏡装置の光学ユニットの制御方法を提供する。本発明の顕微鏡装置（１００）は、使用者がシャッタ（８Ａ、８Ｂ）の動作指示の入力を受け付ける入力部（２４）と、入力部（２４）によるシャッタ（８Ａ、８Ｂ）への１の動作指示に対するシャッタ（８Ａ、８Ｂ）の動作条件を記憶する記憶部（２５）と、シャッタ（８Ａ、８Ｂ）の動作を制御するシャッタ動作制御部（１９Ａ、１９Ｂ）と、入力部（２４）によるシャッタ（８Ａ、８Ｂ）への１の動作指示に対する動作条件を記憶部（２５）から取得し、取得した動作条件に基づき、シャッタ（８Ａ、８Ｂ）が連動して動作させる制御信号をシャッタ動作制御部（１９Ａ、１９Ｂ）に出力するメイン制御部（３０）と、を備える。
2013161899.tif 000002
【特許請求の範囲】
【請求項１】
複数の電動光学ユニットであって、少なくとも一部が同種の電動光学ユニットを有する顕微鏡装置において、
前記電動光学ユニットの動作指示の入力を受付可能な入力部と、
前記入力部による前記電動光学ユニットへの１の動作指示に対する前記電動光学ユニットの動作条件を記憶する記憶部と、
前記電動光学ユニットの動作を制御する動作制御部と、
前記入力部による前記電動光学ユニットへの１の動作指示に対する動作条件を前記記憶部から取得し、取得した前記動作条件に基づき、前記電動光学ユニットを連動して動作させる制御信号を前記動作制御部に出力する制御部と、
を備えることを特徴とする顕微鏡装置。
【請求項２】
前記電動光学ユニットは、１の光源からの照明光が入射する光路上に設置される複数のシャッタであり、
前記動作指示は、前記シャッタを開または閉とする動作を指示する信号であり、
前記記憶部は、前記シャッタを開とする動作指示が入力された場合は、前記複数のシャッタを開とする一方、前記シャッタを閉とする動作指示が入力された場合は、前記複数のシャッタを閉とする動作条件を記憶することを特徴とする請求項１に記載の顕微鏡装置。
【請求項３】
前記電動光学ユニットは、同一の観察光路に設置される複数のキューブターレットおよび該キューブターレットに対する個別の光源からの照明光の照射または遮断を切り替える複数のシャッタであり、
前記動作指示は、前記キューブターレットが保持するキューブの選択したキューブを観察光上に挿入する動作を指示する信号であり、
前記記憶部は、選択されたキューブを保持するキューブターレットに照射光を照射するシャッタを開、非選択のキューブを保持するキューブターレットに照射光を照射するシャッタを閉とする動作条件を記憶することを特徴とする請求項１に記載の顕微鏡装置。
【請求項４】
前記動作条件は、選択されたキューブを保持するキューブターレットに照射光を照射するシャッタを開、非選択のキューブを保持するキューブターレットに照射光を照射するシャッタを閉とする一方、選択されたキューブを前記観察光路上に挿入することを特徴とする請求項３に記載の顕微鏡装置。
【請求項５】
前記電動光学ユニットは、１の光源からの照明光が入射する光路上に設置される複数のシャッタであり、
前記入力部により、前記複数のシャッタを選択する選択指示を入力し、
前記記憶部は、前記選択指示により選択されたシャッタを閉、非選択のシャッタを開とする動作条件を記憶することを特徴とする請求項１に記載の顕微鏡装置。
【請求項６】
前記動作指示は、前記シャッタを開または閉とする動作を指示する信号であり、
前記動作条件は、選択されたシャッタを閉、非選択のシャッタを開とする一方、前記選択されたシャッタのみ前記動作指示により動作させることを特徴とする請求項５に記載の顕微鏡装置。
【請求項７】
前記電動光学ユニットは、観察光路上に設置されるキューブターレットおよび該キューブターレットに対する光源からの照明光の照射または遮断を切り替える複数のシャッタであり、
前記入力部により、前記キューブターレットが保持するキューブを選択する選択指示を入力し、
前記記憶部は、前記複数のシャッタを連動して閉とする一方、選択されたキューブを前記観察光路上に配置し、前記複数のシャッタを開く動作条件を記憶することを特徴とする請求項１に記載の顕微鏡装置。
【請求項８】
前記電動光学ユニットは、１の落射光源からの照明光が入射する光路上に設置される複数のシャッタ、および透過光源からの照明光の照射または遮断を切り替えるシャッタであり、
前記入力部により観察法を選択する選択指示を入力し、
前記記憶部は、前記選択指示で選択可能な観察法に対する、前記複数のシャッタの動作条件を記憶することを特徴とする請求項１に記載の顕微鏡装置。
【請求項９】
前記電動光学ユニットは、同一の観察光路上に設置される複数のキューブターレット、および該キューブターレットに対する個別の光源からの照明光の照射または遮断を切り替える複数のシャッタであり、
前記入力部により前記光源を選択する選択指示を入力し、
前記記憶部は、前記選択指示で選択された光源の光路上に配置された複数のシャッタを連動して開とし、非選択の光源の光路上に配置された複数のシャッタを連動して閉とする動作条件を記憶することを特徴とする請求項１に記載の顕微鏡装置。
【請求項１０】
前記動作指示は、前記シャッタを開または閉とする動作を指示する信号であり、
前記動作条件は、選択された光源の光路上に配置された複数のシャッタを連動して開とし、非選択の光源の光路上に配置された複数のシャッタを連動して閉とする一方、前記動作指示により選択された光源の光路上に配置された複数のシャッタのみ動作させることを特徴とする請求項９に記載の顕微鏡装置。
【請求項１１】
前記電動光学ユニットは、同一観察光路上に設置される複数のキューブターレット、および該キューブターレットに対する個別の光源からの照明光の照射または遮断を切り替える複数のシャッタであり、
前記入力部により前記各光源の光路上のシャッタを選択する選択指示を入力し、
前記記憶部は、前記選択指示で前記選択されたシャッタを閉、非選択のシャッタを開とする動作条件を記憶することを特徴とする請求項１に記載の顕微鏡装置。
【請求項１２】
前記動作および選択指示は、前記光源の選択、および該選択された光源上の選択されたシャッタの動作を指示する信号であり、
前記動作条件は、各光源の選択されたシャッタを閉、非選択のシャッタを開とする一方、前記光源の選択指示が入力された場合は、選択された光源の選択済のシャッタを開とし、前記シャッタの動作指示が入力された場合は、前記選択された光源の選択済のシャッタのみ動作することを特徴とする請求項１１に記載の顕微鏡装置。
【請求項１３】
前記電動光学ユニットは、１の光源からの照明光が入射する光路上に設置される複数のシャッタであり、
前記動作制御部は、前記複数のシャッタをそれぞれ制御するとともに、各シャッタの動作にかかるパラメータをそれぞれ記憶し、
前記制御部は、各シャッタにかかる前記パラメータを参照して、前記複数のシャッタの中から制御対象のシャッタを選択することを特徴とする請求項１に記載の顕微鏡装置。
【請求項１４】
複数の電動光学ユニットであって、少なくとも一部が同種の電動光学ユニットを有する顕微鏡装置の電動光学ユニットの制御方法において、
前記電動光学ユニットの動作指示の入力を受け付ける入力ステップと、
前記入力ステップで入力された動作指示に対する前記複数の電動光学ユニットの動作条件を記憶部から取得する取得ステップと、
前記取得ステップで取得した前記動作条件に基づき、前記複数の電動光学ユニットの制御信号を動作制御部に出力する出力ステップと、
前記出力ステップで出力された制御信号に基づき、前記動作制御部が前記複数の電動光学ユニットを連動して動作するよう制御する動作制御ステップと、
を含むことを特徴とする顕微鏡装置の電動光学ユニットの制御方法。
【発明の詳細な説明】
【技術分野】
【０００１】
本発明は、複数の同種の光学ユニットを有する顕微鏡装置および顕微鏡装置の電動光学ユニットの制御方法に関する。
【背景技術】
【０００２】
現在、微細な試料を拡大して観察することができ、観察像を写真あるいはビデオ画像として記録することができる顕微鏡装置は、生物系分野や工業系分野などの幅広い分野で利用されている。このような顕微鏡装置は、生物系分野では、例えば、生体細胞や細胞片等の生物標本の観察や、細胞を培養する培養装置との組み合わせによるタイムラプス観察に用いられている。【０００３】
顕微鏡装置は、上述した多様な分野で利用されるため、各部がユニット化されていることが多く、複数のユニットの組み合わせにより様々な用途に用いられることが可能となっている。【０００４】
従来、各種の観察ユニットや撮影ユニットを着脱可能とする顕微鏡装置において、接続ユニット毎に独立していたコントローラをなくして、顕微鏡本体に接続されているユニットについてのみ操作アイコンを表示する表示内容変更手段を備えた顕微鏡システムが開示されている（例えば、特許文献１参照）。【０００５】
また、観察法を切り替えた際に、最適な照明光や照明光の照射範囲、標本のコントラストとなるように、ランプ出力、視野絞り、開口絞りを制御する顕微鏡装置が開示されている（例えば、特許文献２参照）。
【先行技術文献】
【特許文献】
【０００６】
【特許文献１】特開平０７−１９９０７７号公報
【特許文献２】特開平０８−２１１２９５号公報
【発明の概要】
【発明が解決しようとする課題】
【０００７】
しかしながら、特許文献１では、複数の光学ユニットを顕微鏡装置に接続した際に、１のコントローラで入力が可能となるものの、各光学ユニットの観察時の最適な位置が決まっている場合でも、各光学ユニットに対してそれぞれ動作指示を入力しなければならず、操作が煩雑となる。【０００８】
また、特許文献２では、観察法切り替えの入力操作により、異なる光学ユニットを連動して動作させるものの、同種の光学ユニットでの連動動作は開示されておらず、観察法を考慮して、同種の光学ユニットの動作指示を入力する必要があった。【０００９】
本発明は、上記に鑑みてなされたものであって、複数の光学ユニットであって、少なくとも同種の光学ユニットを有する顕微鏡装置において、簡易な操作で、正しい観察を可能とする顕微鏡装置および顕微鏡装置の電動光学ユニットの制御方法を提供することを目的とする。
【課題を解決するための手段】
【００１０】
上述した課題を解決し、目的を達成するために、本発明の顕微鏡装置は、複数の電動光学ユニットであって、少なくとも一部が同種の電動光学ユニットを有する顕微鏡装置において、前記電動光学ユニットの動作指示の入力を受付可能な入力部と、前記入力部による前記電動光学ユニットへの１の動作指示に対する前記電動光学ユニットの動作条件を記憶する記憶部と、前記電動光学ユニットの動作を制御する動作制御部と、前記入力部による前記電動光学ユニットへの１の動作指示に対する動作条件を前記記憶部から取得し、取得した前記動作条件に基づき、前記電動光学ユニットを連動して動作させる制御信号を前記動作制御部に出力する制御部と、を備えることを特徴とする。【００１１】
また、本発明の顕微鏡装置は、上記発明において、前記電動光学ユニットは、１の光源からの照明光が入射する光路上に設置される複数のシャッタであり、前記動作指示は、前記シャッタを開または閉とする動作を指示する信号であり、前記記憶部は、前記シャッタを開とする動作指示が入力された場合は、前記複数のシャッタを開とする一方、前記シャッタを閉とする動作指示が入力された場合は、前記複数のシャッタを閉とする動作条件を記憶することを特徴とする。【００１２】
また、本発明の顕微鏡装置は、上記発明において、前記電動光学ユニットは、同一の観察光路に設置される複数のキューブターレットおよび該キューブターレットに対する個別の光源からの照明光の照射または遮断を切り替える複数のシャッタであり、前記動作指示は、前記キューブターレットが保持するキューブの選択したキューブを観察光上に挿入する動作を指示する信号であり、前記記憶部は、選択されたキューブを保持するキューブターレットに照射光を照射するシャッタを開、非選択のキューブを保持するキューブターレットに照射光を照射するシャッタを閉とする動作条件を記憶することを特徴とする。【００１３】
また、本発明の顕微鏡装置は、上記発明において、前記動作条件は、選択されたキューブを保持するキューブターレットに照射光を照射するシャッタを開、非選択のキューブを保持するキューブターレットに照射光を照射するシャッタを閉とする一方、選択されたキューブを前記観察光路上に挿入することを特徴とする。【００１４】
また、本発明の顕微鏡装置は、上記発明において、前記電動光学ユニットは、１の光源からの照明光が入射する光路上に設置される複数のシャッタであり、前記入力部により、前記複数のシャッタを選択する選択指示を入力し、前記記憶部は、前記選択指示により選択されたシャッタを閉、非選択のシャッタを開とする動作条件を記憶することを特徴とする。【００１５】
また、本発明の顕微鏡装置は、上記発明において、前記動作指示は、前記シャッタを開または閉とする動作を指示する信号であり、前記動作条件は、選択されたシャッタを閉、非選択のシャッタを開とする一方、前記選択されたシャッタのみ前記動作指示により動作させることを特徴とする。【００１６】
また、本発明の顕微鏡装置は、上記発明において、前記電動光学ユニットは、観察光路上に設置されるキューブターレットおよび該キューブターレットに対する光源からの照明光の照射または遮断を切り替える複数のシャッタであり、前記入力部により、前記キューブターレットが保持するキューブを選択する選択指示を入力し、前記記憶部は、前記複数のシャッタを連動して閉とする一方、選択されたキューブを前記観察光路上に配置し、前記複数のシャッタを開く動作条件を記憶することを特徴とする。【００１７】
また、本発明の顕微鏡装置は、上記発明において、前記電動光学ユニットは、１の落射光源からの照明光が入射する光路上に設置される複数のシャッタ、および透過光源からの照明光の照射または遮断を切り替えるシャッタであり、前記入力部により観察法を選択する選択指示を入力し、前記記憶部は、前記選択指示で選択可能な観察法に対する、前記複数のシャッタの動作条件を記憶することを特徴とする。【００１８】
また、本発明の顕微鏡装置は、上記発明において、前記電動光学ユニットは、同一の観察光路上に設置される複数のキューブターレット、および該キューブターレットに対する個別の光源からの照明光の照射または遮断を切り替える複数のシャッタであり、前記入力部により前記光源を選択する選択指示を入力し、前記記憶部は、前記選択指示で選択された光源の光路上に配置された複数のシャッタを連動して開とし、非選択の光源の光路上に配置された複数のシャッタを連動して閉とする動作条件を記憶することを特徴とする。【００１９】
また、本発明の顕微鏡装置は、上記発明において、前記動作指示は、前記シャッタを開または閉とする動作を指示する信号であり、前記動作条件は、選択された光源の光路上に配置された複数のシャッタを連動して開とし、非選択の光源の光路上に配置された複数のシャッタを連動して閉とする一方、前記動作指示により選択された光源の光路上に配置された複数のシャッタのみ動作させることを特徴とする。【００２０】
また、本発明の顕微鏡装置は、上記発明において、前記電動光学ユニットは、同一観察光路上に設置される複数のキューブターレット、および該キューブターレットに対する個別の光源からの照明光の照射または遮断を切り替える複数のシャッタであり、前記入力部により前記各光源の光路上のシャッタを選択する選択指示を入力し、前記記憶部は、前記選択指示で前記選択されたシャッタを閉、非選択のシャッタを開とする動作条件を記憶することを特徴とする。【００２１】
また、本発明の顕微鏡装置は、上記発明において、前記動作および選択指示は、前記光源の選択、および該選択された光源上の選択されたシャッタの動作を指示する信号であり、前記動作条件は、各光源の選択されたシャッタを閉、非選択のシャッタを開とする一方、前記光源の選択指示が入力された場合は、選択された光源の選択済のシャッタを開とし、前記シャッタの動作指示が入力された場合は、前記選択された光源の選択済のシャッタのみ動作することを特徴とする。【００２２】
また、本発明の顕微鏡装置は、上記発明において、前記電動光学ユニットは、１の光源からの照明光が入射する光路上に設置される複数のシャッタであり、前記動作制御部は、前記複数のシャッタをそれぞれ制御するとともに、各シャッタの動作にかかるパラメータをそれぞれ記憶し、前記制御部は、各シャッタにかかる前記パラメータを参照して、前記複数のシャッタの中から制御対象のシャッタを選択することを特徴とする。【００２３】
また、本発明の顕微鏡装置の電動光学ユニットの制御方法は、複数の電動光学ユニットであって、少なくとも一部が同種の電動光学ユニットを有する顕微鏡装置の電動光学ユニットの制御方法において、前記電動光学ユニットの動作指示の入力を受け付ける入力ステップと、前記入力ステップで入力された動作指示に対する前記複数の電動光学ユニットの動作条件を記憶部から取得する取得ステップと、前記取得ステップで取得した前記動作条件に基づき、前記複数の電動光学ユニットの制御信号を動作制御部に出力する出力ステップと、前記出力ステップで出力された制御信号に基づき、前記動作制御部が前記複数の電動光学ユニットを連動して動作するよう制御する動作制御ステップと、を含むことを特徴とする。
【発明の効果】
【００２４】
本発明によれば、同種の電動光学ユニットが複数接続された場合に、使用者が各電動光学ユニットすべてについて最適な動作を選択し入力するのに要する時間および手間を低減し、使用者の操作性を向上することができる効果を奏する。
【図面の簡単な説明】
【００２５】
【図１】図１は、本発明の実施の形態１にかかる顕微鏡装置の概略構成を示す図である。
【図２】図２は、本発明の実施の形態１における顕微鏡装置の起動時の動作の手順を示すフローチャートである。
【図３】図３は、本発明の実施の形態１における複数のシャッタの動作の手順を示すフローチャートである。
【図４】図４は、本発明の実施の形態１における記憶部に記憶される動作条件のテーブルの一例を示す図である。
【図５】図５は、本発明の実施の形態１の変形例１−１にかかる顕微鏡装置の概略構成を示す図である。
【図６】図６は、本発明の実施の形態１の変形例１−１における記憶部に記憶される動作条件のテーブルの一例を示す図である。
【図７】図７は、本発明の実施の形態２にかかる顕微鏡装置の概略構成を示す図である。
【図８】図８は、本発明の実施の形態２の顕微鏡装置で使用するキューブターレットを上から見たときの模式図である。
【図９】図９は、本発明の実施の形態２における複数のキューブターレットおよびシャッタの動作の手順を示すフローチャートである。
【図１０】図１０は、本発明の実施の形態２における記憶部に記憶される動作条件のテーブルの一例を示す図である。
【図１１】図１１は、本発明の実施の形態３における複数のシャッタの選択動作の手順を示すフローチャートである。
【図１２】図１２は、本発明の実施の形態３の記憶部に記憶される動作条件のテーブルの一例を示す図である。
【図１３】図１３は、本発明の実施の形態３におけるシャッタ選択入力時の各シャッタの動作状態の一例を示す図である。
【図１４】図１４は、本発明の実施の形態３における複数のシャッタの動作の手順を示すフローチャートである。
【図１５】図１５は、本発明の実施の形態４における複数のシャッタおよびキューブターレットの動作の手順を示すフローチャートである。
【図１６】図１６は、本発明の実施の形態５にかかる顕微鏡装置の概略構成を示す図である。
【図１７】図１７は、本発明の実施の形態５における複数のシャッタの動作の手順を示すフローチャートである。
【図１８】図１８は、本発明の実施の形態５の記憶部に記憶される動作条件のテーブルの一例を示す図である。
【図１９】図１９は、本発明の実施の形態６にかかる顕微鏡装置の概略構成を示す図である。
【図２０】図２０は、本発明の実施の形態６における複数のシャッタの動作の手順を示すフローチャートである。
【図２１】図２１は、本発明の実施の形態６の記憶部に記憶される動作条件のテーブルの一例を示す図である。
【図２２】図２２は、本発明の実施の形態６の記憶部に記憶される動作条件のテーブルの一例を示す図である。
【図２３】図２３は、本発明の実施の形態７におけるシャッタの選択動作の手順を示すフローチャートである。
【図２４】図２４は、本発明の実施の形態７の記憶部に記憶される動作条件のテーブルの一例を示す図である。
【図２５】図２５は、本発明の実施の形態７におけるシャッタの選択動作の手順を示すフローチャートである。
【図２６】図２６は、本発明の実施の形態７の記憶部に記憶される動作条件のテーブルの一例を示す図である。
【図２７】図２７は、本発明の実施の形態７におけるシャッタの動作の手順を示すフローチャートである。
【図２８】図２８は、本発明の実施の形態７における光路選択入力時の各シャッタの動作状態の一例を示す図である。
【図２９】図２９は、本発明の実施の形態７における選択したシャッタの動作の手順を示すフローチャートである。
【図３０】図３０は、本発明の実施の形態７の記憶部に記憶される動作条件のテーブルの一例を示す図である。
【図３１】図３１は、本発明の実施の形態８にかかる顕微鏡装置の概略構成を示す図である。
【図３２】図３２は、本発明の実施の形態８における複数のシャッタの動作の手順を示すフローチャートである。
【図３３】図３３は、本発明の実施の形態８の記憶部に記憶される動作条件のテーブルの一例を示す図である。
【図３４】図３４は、本発明の実施の形態８におけるシャッタの動作の手順を示すフローチャートである。
【図３５】図３５は、本発明の実施の形態８におけるシャッタ動作入力時の各シャッタの動作状態の一例を示す図である。
【図３６】図３６は、本発明の実施の形態８の変形例８−１にかかる顕微鏡装置の概略構成を示す図である。
【図３７】図３７は、本発明の実施の形態８の変形例８−１における高速シャッタ選択の手順を示すフローチャートである。
【図３８】図３８は、本発明の実施の形態８の変形例８−１の記憶部に記憶される動作条件のテーブルの一例を示す図である。
【図３９】図３９は、本発明の実施の形態８の変形例８−１の記憶部に記憶される動作条件のテーブルの一例を示す図である。
【図４０】図４０は、本発明の実施の形態８の変形例８−１における複数のシャッタの動作の手順を示すフローチャートである。
【図４１】図４１は、本発明の実施の形態８の変形例８−１における光路選択入力時の各シャッタの動作状態の一例を示す図である。
【図４２】図４２は、本発明の実施の形態８の変形例８−１における高速シャッタの動作の手順を示すフローチャートである。
【図４３】図４３は、本発明の実施の形態８の変形例８−１における動作入力時の各シャッタの動作状態の一例を示す図である。
【発明を実施するための形態】
【００２６】
以下に、本発明にかかる顕微鏡装置の実施の形態を図面に基づいて詳細に説明する。なお、本発明は、これらの実施の形態に限定されるものではなく、本発明の要旨を逸脱しない範囲で種々の変更が可能である。
【００２７】
（実施の形態１）
図１は、本発明の実施の形態１にかかる顕微鏡装置の概略構成を示す図である。顕微鏡装置１００は、顕微鏡本体部１と、試料２を載置するステージ３と、試料２の下部に配置される対物レンズ４と、試料２に光を照射する光源５と、試料２から反射した光を観察する接眼レンズ６と、試料２から反射した光を撮像する撮像素子７と、を備える。
【００２８】
顕微鏡本体部１内には、試料２への光源５から射出された光の照射または遮断を切り替えるシャッタ８Ａと、蛍光キューブやミラー等の光学素子を内蔵するキューブターレット１０と、試料２から反射した光を撮像素子７側に反射するミラー１１と、ミラー１１から反射された光を分割するビームスプリッター１２と、ビームスプリッター１２で分割された光を接眼レンズ６に反射するミラー１３と、が適宜配置されている。
【００２９】
また、顕微鏡装置１００には、光源５から照射される光の光路上に、複数の励起フィルタ１４を内蔵するフィルタホイール１５と、フィルタホイール１５に同期するシャッタ８Ｂが接続されるとともに、複数の吸収フィルタ１７を内蔵するフィルタホイール１８が観察光路上に配置されている。フィルタホイール１８も、フィルタホイール１５に同期するように動作する。本実施の形態１において、シャッタ８Ａは顕微鏡装置１００に内蔵されるものであり、シャッタ８Ｂはフィルタホイール１５とともに外付けされるユニットであり、シャッタ８Ｂの動作速度はシャッタ８Ａよりも速く設定されている。
【００３０】
シャッタ８Ａおよびシャッタ８Ｂは、シャッタ動作制御部１９Ａおよびシャッタ動作制御部１９Ｂを介してメイン制御部３０に接続されている。シャッタ動作制御部１９Ａおよびシャッタ動作制御部１９Ｂは、メイン制御部３０から送信される制御信号に基づき、シャッタ８Ａおよびシャッタ８Ｂをそれぞれ開閉するようモータを制御する。
【００３１】
フィルタホイール１５およびフィルタホイール１８は、フィルタホイール動作制御部２１およびフィルタホイール動作制御部２２を介してメイン制御部３０に接続されている。フィルタホイール動作制御部２１およびフィルタホイール動作制御部２２は、メイン制御部３０から送信される制御信号に基づき、フィルタホイール１５およびフィルタホイール１８をそれぞれ動作するようモータを制御する。
【００３２】
キューブターレット１０は、キューブターレット動作制御部２３を介してメイン制御部３０に接続されている。キューブターレット動作制御部２３は、メイン制御部３０から送信される制御信号に基づき、キューブターレット１０を動作して、観察光路上にキューブを挿入するようモータを制御する。
【００３３】
入力部２４は、使用者によりシャッタ（シャッタ８Ａまたはシャッタ８Ｂ）の動作指示、即ち、オープンまたはクローズの指示を受け付ける。
【００３４】
記憶部２５は、入力部２４により入力されたシャッタ（シャッタ８Ａまたはシャッタ８Ｂ）の動作指示に対する、シャッタ８Ａおよびシャッタ８Ｂの動作条件を記憶する。
【００３５】
メイン制御部３０は、顕微鏡装置１００の各部と接続され、各部の動作を制御する制御信号を送信する。また、メイン制御部３０は、入力部２４を介して使用者により入力されたシャッタ８の動作指示に対する動作条件を記憶部２５から取得し、取得した前記動作条件に基づき、シャッタ８Ａおよびシャッタ８Ｂが連動して動作する制御信号をシャッタ動作制御部１９Ａおよびシャッタ動作制御部１９Ｂにそれぞれ出力する。
【００３６】
次に、本発明の実施の形態１にかかる顕微鏡装置１００の起動時の動作の手順について図を参照して説明する。図２は、本発明の実施の形態１における顕微鏡装置の起動時の動作の手順を示すフローチャートである。
【００３７】
図２に示すように、顕微鏡装置１００の電源がＯＮされると、まず、メイン制御部３０は、シャッタ動作制御部１９Ａおよびシャッタ動作制御部１９Ｂに対してシャッタ８Ａおよびシャッタ８Ｂの接続確認を行う（ステップＳ１０１）。
【００３８】
その後、シャッタ８Ａおよびシャッタ８Ｂについて初期化を行う（Ｓ１０２）。初期化によりシャッタ８Ａおよびシャッタ８Ｂを初期位置へ移動させる。初期位置として、たとえば、シャッタ８Ａおよびシャッタ８Ｂがオープンに設定されている場合、メイン制御部３０は、初期位置の制御信号をシャッタ動作制御部１９Ａおよびシャッタ動作制御部１９Ｂに送信する。これにより、シャッタ８Ａおよびシャッタ８Ｂがオープンされる。なお、初期位置は、予め決められた位置としてもよいし、前回最終使用時の位置を初期位置としてもよい。さらに、全てのシャッタをクローズにすることを初期位置としてもよい。
【００３９】
続いて、本発明の実施の形態１にかかるシャッタ８Ａおよびシャッタ８Ｂの動作の手順について図を参照して説明する。図３は、本発明の実施の形態１におけるシャッタ８Ａおよびシャッタ８Ｂの動作の手順を示すフローチャートである。図４は、本発明の実施の形態１における記憶部２５に記憶される動作条件のテーブルの一例を示す図である。
【００４０】
使用者は、入力部２４を介してシャッタの動作を入力する（ステップＳ２０１）。入力部２４は、シャッタ（シャッタ８Ａまたはシャッタ８Ｂ）をオープンまたはクローズするボタンまたはスイッチ等の選択部を有し、使用者は、選択部によりシャッタの動作を入力する。
【００４１】
メイン制御部３０は、使用者の入力部２４によるシャッタ８の動作指示に対する動作条件を記憶部２５から取得する（ステップＳ２０２）。たとえば、記憶部２５には、図４に示すような動作条件のテーブルが記憶されており、使用者がオープンを選択した場合には、シャッタ８Ａおよびシャッタ８Ｂをオープン、使用者がクローズを選択した場合には、シャッタ８Ａおよびシャッタ８Ｂをクローズとする。
【００４２】
メイン制御部３０は、動作条件を取得後、取得した動作条件に基づき、シャッタ８Ａおよびシャッタ８Ｂの動作の制御信号（動作指示）をシャッタ動作制御部１９Ａおよびシャッタ動作制御部１９Ｂにそれぞれ出力する（ステップＳ２０３）。たとえば、クローズが動作として選択入力された場合、メイン制御部３０は、シャッタ８Ａおよびシャッタ８Ｂがクローズする制御信号をシャッタ動作制御部１９Ａおよびシャッタ動作制御部１９Ｂにそれぞれ出力する。
【００４３】
シャッタ動作制御部１９Ａおよびシャッタ動作制御部１９Ｂは、受信した制御信号に基づき、シャッタ８Ａおよびシャッタ８Ｂを動作するようモータを制御する（ステップＳ２０４）。これにより、使用者の１の動作入力により、シャッタ８Ａおよびシャッタ８Ｂが連動して動作する。なお、本明細書において、「連動」とは同時に動作する場合のほか、逐次動作する場合を含むものとする。
【００４４】
本実施の形態１では、１の光源５から射出される照射光が入射する同一光路上に２つのシャッタ８Ａおよびシャッタ８Ｂが配置される場合でも、１回の動作入力処理によって、光路の開放または遮断が可能となり、シャッタ８Ａおよびシャッタ８Ｂを互いに観察を阻害しない位置を判断して、個別にシャッタの動作入力をするという煩雑な操作を省略することができ、使用者の操作性の向上に貢献できるという効果を奏する。
【００４５】
本実施の形態１において、同一光路上に２つのシャッタ８Ａおよびシャッタ８Ｂが配置される場合を例として説明したが、２以上であればよく、３以上のシャッタが接続されている場合でも、同様にして１の操作で、３以上のシャッタを連動して操作し、操作に要する時間と手間を低減することができる。
【００４６】
また、本実施の形態１の変形例１−１として、接眼レンズ６に反射光を照射または遮断するシャッタについて、他のシャッタの動作と連動させる顕微鏡装置を例示することができる。図５は、本発明の実施の形態１の変形例１−１にかかる顕微鏡装置の概略構成を示す図である。図６は、本発明の実施の形態１の変形例１−１における記憶部に記憶される動作条件のテーブルの一例を示す図である。
【００４７】
図５に示すように、変形例１−１にかかる顕微鏡装置１００Ａは、接眼レンズ６への反射光の照射または遮断を切り替えるシャッタ８Ｃと、シャッタ８Ｃの動作を制御するシャッタ動作制御部１９Ｃと、を備える点で、実施の形態１の顕微鏡装置１００と異なる。
【００４８】
顕微鏡装置１００Ａの記憶部２５は、図６に示すような動作条件のテーブルが記憶されており、使用者が入力部２４によりオープンを選択入力した場合には、シャッタ８Ａ、シャッタ８Ｂとともにシャッタ８Ｃをオープンとし、使用者がクローズを選択した場合には、シャッタ８Ａ、シャッタ８Ｂとともにシャッタ８Ｃをクローズとする。
【００４９】
本変形例１−１によれば、同一光路上に複数配置されるシャッタだけでなく、接眼側に配置されるシャッタについても、１の動作入力により、複数のシャッタを連動して動作することが可能となる。
【００５０】
（実施の形態２）
実施の形態２にかかる顕微鏡装置は、同一観察光路上に複数のキューブターレットが設置されるとともに、該キューブターレットに対する個別の光源からの照射光の照射または遮断を切り替えるシャッタがそれぞれ設置され、複数のキューブターレットおよび複数のシャッタを、１の動作指示で連動して動作させる点で実施の形態１と異なる。図７は、本発明の実施の形態２にかかる顕微鏡装置の概略構成を示す図である。図８は、本発明の実施の形態２の顕微鏡装置で使用するキューブターレットを上から見たときの模式図である。
【００５１】
図７に示すように、実施の形態２にかかる顕微鏡装置２００は、試料２への照射光により試料２から発光した観察光が通過する光路（観察光路）上に２つのキューブターレット１０Ａおよびキューブターレット１０Ｄが設置されている。キューブターレット１０Ａおよびキューブターレット１０Ｄは、キューブターレット動作制御部２３Ａおよびキューブターレット動作制御部２３Ｄを介してメイン制御部３０と接続されている。
【００５２】
キューブターレット１０Ａには、光源５Ａから照明光が入射され、光源５Ａからの照明光の光路上には、照明光の照射または遮断を切り替えるシャッタ８Ａが設置される。また、キューブターレット１０Ｄには、光源５Ｄから照明光が入射され、光源５Ｄからの照明光の光路上には、照明光の照射または遮断を切り替えるシャッタ８Ｄが設置される。シャッタ８Ａおよびシャッタ８Ｄは、シャッタ動作制御部１９Ａおよびシャッタ動作制御部１９Ｄを介してメイン制御部３０に接続されている。
【００５３】
キューブターレット１０Ａおよび１０Ｄは、図８に示すように、８つのキューブが保持可能であり、選択されたキューブの観察を阻害しないよう、１つが空穴となっている。図８では、ハッチングされた位置番号３が空穴であり、矢印で示す位置に選択されたキューブを配置する。たとえば、キューブターレット１０Ａの位置番号４が選択された場合には、キューブターレット１０Ａは、位置番号４のキューブが矢印の位置に配置するよう回転されるとともに、キューブターレット１０Ｄは、空穴である位置番号３が矢印の位置に配置するよう回転される。
【００５４】
続いて、本発明の実施の形態２にかかるキューブターレット１０Ａおよび１０Ｄの動作の手順について図を参照して説明する。図９は、本発明の実施の形態２における複数のキューブターレットおよびシャッタの動作の手順を示すフローチャートである。図１０は、本発明の実施の形態２における記憶部に記憶される動作条件のテーブルの一例を示す図である。
【００５５】
なお、顕微鏡装置２００の起動時の動作については、上述した図２に示すフローチャートと同様に、シャッタおよびキューブターレットの接続確認と、シャッタおよびキューブターレットについての初期化とが行われる。初期化によりキューブターレット１０Ａおよびキューブターレット１０Ｄ、ならびにシャッタ８Ａおよびシャッタ８Ｄを初期位置に移動させる。初期位置として、たとえば、キューブターレット１０ＡがキューブＡ−１、キューブターレット１０Ｄは、キューブＤ−３（空穴）が設定されている場合、メイン制御部３０は、初期位置の制御信号をキューブターレット動作制御部２３Ａおよびキューブターレット動作制御部２３Ｄに送信するとともに、シャッタ８Ａをオープン、シャッタ８Ｂをクローズとする制御信号をシャッタ動作制御部１９Ａおよびシャッタ動作制御部１９Ｄに送信する。これにより、キューブターレット１０ＡはキューブＡ−１を、キューブターレット１０ＤはキューブＤ−３（空穴）を観察光路上に挿入するとともに、シャッタ８Ａがオープン、シャッタ８Ｂがクローズされる。なお、初期位置は、予め決められた位置としてもよいし、前回最終使用時の位置としてもよい。さらに、全てのシャッタをクローズにすることを初期位置としてもよい。
【００５６】
使用者は、入力部２４を介してキューブの選択を入力する（ステップＳ３０１）。入力部２４は、キューブターレット１０Ａおよびキューブターレット１０Ｄが保持するキューブＡ−１、Ａ−２、・・・、Ａ−８、Ｄ−１、Ｄ−２、・・・、Ｄ−８を選択するボタンまたはスイッチ等の選択部を有し、使用者は、選択部によりキューブを選択入力する。
【００５７】
メイン制御部３０は、使用者の入力部２４によるキューブの選択指示に対する動作条件を記憶部２５から取得する（ステップＳ３０２）。たとえば、記憶部２５には、図１０に示すような動作条件のテーブルが記憶されており、たとえば、使用者がキューブＤ−５を選択した場合、動作条件は、キューブターレット１０ＡはキューブＡ−３（空穴）、キューブターレット１０ＤはキューブＤ−５、シャッタ８Ａはクローズ、シャッタ８Ｄはオープンとなる。
【００５８】
メイン制御部３０は、動作条件を取得後、取得した動作条件に基づき、キューブターレット１０Ａおよびキューブターレット１０Ｄ、ならびにシャッタ８Ａおよびシャッタ８Ｄの動作の制御信号を、キューブターレット動作制御部２３Ａおよびキューブターレット動作制御部２３Ｄ、ならびにシャッタ動作制御部１９Ａおよびシャッタ動作制御部１９Ｄにそれぞれ出力する（ステップＳ３０３）。
【００５９】
シャッタ動作制御部１９Ａおよびシャッタ動作制御部１９Ｄは、受信した制御信号に基づき、シャッタ８Ａおよびシャッタ８Ｄを動作するようモータを制御する（ステップＳ３０４）。
【００６０】
その後、キューブターレット動作制御部２３Ａおよびキューブターレット動作制御部２３Ｄは、受信した制御信号に基づき、キューブターレット１０Ａおよびキューブターレット１０Ｄを動作するようモータを制御する（ステップＳ３０５）。以上により、使用者の１のキューブ選択入力により、キューブターレット１０Ａおよびキューブターレット１０Ｄ、ならびにシャッタ８Ａおよびシャッタ８Ｄが連動して動作する。
【００６１】
本実施の形態２では、同一観察光路上に２つのキューブターレットが接続されている場合でも、１回のキューブの選択入力処理によって、２つのキューブターレットならびに２つのシャッタを連動して正しい観察が可能な位置へ動作することができ、２つのキューブターレットならびに２つのシャッタを互いに観察を阻害しない位置を判断して、各キューブターレットならびに各シャッタの動作入力を行なうという煩雑な操作を省略することができ、使用者の操作性を大幅に向上することができるという効果を奏する。
【００６２】
実施の形態２において、同一観察光路上に２つのキューブターレット１０Ａおよび１０Ｄが配置される場合を例として説明したが、２以上であればよく、３以上のキューブターレットが接続されている場合でも、同様にして１の操作で、３以上のキューブターレットならびにシャッタを連動して操作し、操作に要する時間と手間を低減することができる。
【００６３】
（実施の形態３）
実施の形態３にかかる顕微鏡装置は、１の光源から照射される照明光が入射する光路上に２つのシャッタが接続される点で、図１の実施の形態１にかかる顕微鏡装置１００と同一の構成をとるが、使用者が使用するシャッタを選択した場合、選択されたシャッタをオープン又はクローズ、非選択のシャッタを全てオープンとするように動作させる点で、実施の形態１と異なる。
【００６４】
実施の形態３において、入力部２４は、シャッタ８Ａとシャッタ８Ｂとを選択するボタンまたはスイッチ等の選択部を有し、使用者は選択部により、使用するシャッタ８Ａまたはシャッタ８Ｂを選択入力する。また、入力部２４は、シャッタ８Ａおよびシャッタ８Ｂをオープンまたはクローズするボタンまたはスイッチ等の選択部を有し、使用者が、選択部により選択したシャッタ８Ａまたはシャッタ８Ｂをオープンまたはクローズするように動作入力を可能とする。また、選択されていないシャッタはオープンする。
【００６５】
続いて、本発明の実施の形態３にかかるシャッタ８Ａおよびシャッタ８Ｂの動作の手順について図を参照して説明する。図１１は、本発明の実施の形態３における複数のシャッタの選択動作の手順を示すフローチャートである。図１２は、本発明の実施の形態３における記憶部２５に記憶される動作条件のテーブルの一例を示す図である。図１３は、本発明の実施の形態３におけるシャッタ選択入力時の各シャッタの動作状態の一例を示す図である。
【００６６】
なお、顕微鏡装置１００の起動時の動作については、上述した図２に示すフローチャートと同様に、シャッタおよびキューブターレットの接続確認と、シャッタおよびキューブターレットについての初期化とが行われる。ここで、本発明の実施の形態３における初期位置として、たとえば、シャッタ８Ａがオープン、シャッタ８Ｂがクローズに設定されている場合、メイン制御部３０は、初期位置の制御信号をシャッタ動作制御部１９Ａおよびシャッタ動作制御部１９Ｂに送信する。これにより、シャッタ８Ａがオープン、シャッタ８Ｂがクローズされる。
【００６７】
使用者は、入力部２４を介してシャッタ８Ａまたはシャッタ８Ｂの選択を入力する（ステップＳ４０１）。入力部２４は、シャッタ８Ａまたはシャッタ８Ｂを選択するボタンまたはスイッチ等の選択部を有し、使用者は、選択部によりシャッタ８Ａまたシャッタ８Ｂを選択入力する。
【００６８】
メイン制御部３０は、使用者の入力部２４によるシャッタ８Ａまたはシャッタ８Ｂの選択指示に対する動作条件を記憶部２５から取得する（ステップＳ４０２）。たとえば、記憶部２５には、動作条件のテーブルが記憶されており、使用者がシャッタ８Ａを選択した場合には、シャッタ８Ａをクローズ、シャッタ８Ｂをオープンとする（図１２参照）。また、シャッタ８Ｂを選択した状態で、使用者がオープンを選択した場合には、シャッタ８Ａおよびシャッタ８Ｂをオープン、使用者がクローズを選択した場合には、シャッタ８Ａをオープンとするとともに、シャッタ８Ｂをクローズとする（図１３参照）。
【００６９】
メイン制御部３０は、動作条件を取得後、取得した動作条件に基づき、シャッタ８Ａおよびシャッタ８Ｂの動作の制御信号をシャッタ動作制御部１９Ａおよびシャッタ動作制御部１９Ｂにそれぞれ出力する（ステップＳ４０３）。たとえば、シャッタ８Ａが選択入力された場合、メイン制御部３０は、シャッタ８Ａをクローズ、シャッタ８Ｂをオープンする制御信号をシャッタ動作制御部１９Ａおよびシャッタ動作制御部１９Ｂにそれぞれ出力する。
【００７０】
シャッタ動作制御部１９Ａおよびシャッタ動作制御部１９Ｂは、受信した制御信号に基づき、シャッタ８Ａおよびシャッタ８Ｂを動作するようモータを制御する（ステップＳ４０４）。これにより、使用者のシャッタの選択入力により、シャッタ８Ａおよびシャッタ８Ｂが連動して動作する。
【００７１】
図１４は、本発明の実施の形態３における複数のシャッタの動作の手順を示すフローチャートである。使用者により入力部２４を介してシャッタ８の動作が入力された場合（ステップＳ５０１）、メイン制御部３０は、初期化処理で選択されたシャッタ８Ａのみを動作する制御信号を、シャッタ動作制御部１９Ａに出力し、選択されたシャッタ８Ａのみを動作させる（ステップＳ５０２）。入力部２４は、シャッタ８Ａ又はシャッタ８Ｂをオープンまたはクローズするボタンまたはスイッチ等の選択部を有し、メイン制御部３０は、入力された動作指示を、選択したシャッタ８Ａのみがオープン又はクローズの動作をする制御信号を出力する。
【００７２】
本実施の形態３では、１の光源５から射出される照明光が入射する光路上に２つのシャッタ８Ａおよびシャッタ８Ｂが配置される場合でも、シャッタ８Ａまたはシャッタ８Ｂの１の選択入力処理によって、光路の開放または遮断が可能となり、シャッタ８Ａおよびシャッタ８Ｂを互いに観察を阻害しない位置を判断して、個別にシャッタの動作入力をするという煩雑な操作を省略することができ、使用者の操作性の向上に貢献できるという効果を奏する。
【００７３】
実施の形態３において、同一光路上に２つのシャッタ８Ａおよびシャッタ８Ｂが配置される場合を例として説明したが、２以上であればよく、３以上のシャッタが接続されている場合でも、同様にして１の操作で、３以上のシャッタを連動して操作し、操作に要する時間と手間を低減することができる。
【００７４】
なお、シャッタ８Ａが選択された後、シャッタ８Ｂが他のユニットと別のシーケンスで連動、たとえば、シャッタ８Ｂがフィルタホイール１５と連動して動作した場合、シャッタ８Ｂがクローズになり、シャッタ８Ａを選択後のシャッタ８Ｂの位置（オープン）でないことが起こりうる。この場合、メイン制御部３０は、フィルタホイール１５の動作終了を検知し、シャッタ８Ｂをオープンとする制御信号をシャッタ動作制御部１９Ｂに送信する。これにより、別のシーケンスによりシャッタ選択後の位置と異なった状態になった場合でも、自動的にシャッタ選択後の位置に戻すことが可能になり、使用者の操作性の向上に貢献できるという効果を奏する。
【００７５】
（実施の形態４）
実施の形態４にかかる顕微鏡装置は、１の光源から照射される照明光が入射する光路上に２つのシャッタが接続される点で、図１の実施の形態１にかかる顕微鏡装置１００と同一の構成をとるが、使用者が使用するキューブを選択した場合、２つのシャッタをクローズとした後、キューブの選択動作を行い、その後、２つのシャッタをオープンとするように動作する点で、実施の形態１と異なる。キューブの選択指示をトリガーとして、２つのシャッタを連動してクローズした後、キューブの選択動作をし、２つのシャッタを連動してオープンとすることにより、使用者の操作性を向上するとともに、試料の退色を防止することができる。
【００７６】
本発明の実施の形態４にかかるシャッタ８Ａおよびシャッタ８Ｂ、ならびにキューブターレット１０の動作の手順について図を参照して説明する。図１５は、本発明の実施の形態４におけるシャッタ８Ａおよびシャッタ８Ｂならびにキューブターレット１０の動作の手順を示すフローチャートである。
【００７７】
なお、顕微鏡装置１００の起動時の動作については、上述した図２に示すフローチャートと同様に、シャッタおよびキューブターレットの接続確認と、シャッタおよびキューブターレットについての初期化とが行われる。ここで、本発明の実施の形態４における初期位置として、たとえば、キューブターレット１０がキューブＡ−１に設定されている場合、メイン制御部３０は、初期位置の制御信号をキューブターレット動作制御部２３に送信する。また、初期位置として、たとえば、シャッタ８Ａおよびシャッタ８Ｂがオープンに設定されている場合、メイン制御部３０は、初期位置の制御信号をシャッタ動作制御部１９Ａおよびシャッタ動作制御部１９Ｂに送信する。これにより、キューブターレット１０はキューブＡ−１を観察光路上に挿入するとともに、シャッタ８Ａおよびシャッタ８Ｂがオープンされる。
【００７８】
使用者は、入力部２４を介してキューブの選択を入力する（ステップＳ６０１）。入力部２４は、キューブを選択するボタンまたはスイッチ等の選択部を有し、使用者は、選択部によりキューブを選択入力する。
【００７９】
キューブの選択入力後、メイン制御部３０は、動作条件を記憶部２５から取得する（ステップＳ６０２）。本実施の形態４の動作条件は、シャッタ８Ａおよびシャッタ８Ｂを連動してクローズとし、初期化処理で選択されたキューブを観察光路上に配置した後、シャッタ８Ａおよびシャッタ８Ｂをオープンするものである。
【００８０】
メイン制御部３０は、取得した動作条件に基づき、シャッタ８Ａおよびシャッタ８Ｂをクローズとする制御信号をシャッタ動作制御部１９Ａおよびシャッタ動作制御部１９Ｂに送信し、シャッタ８Ａおよびシャッタ８Ｂを連動してクローズとする（ステップＳ６０３）。キューブ切替動作時にシャッタ８Ａおよびシャッタ８Ｂをクローズとすることにより、試料２の退色を防止することができる。
【００８１】
その後、メイン制御部３０は、初期化処理で選択されたキューブの動作指示、すなわち観察光路上に選択されたキューブを配置する制御信号を、キューブターレット動作制御部２３に送信する（ステップＳ６０４）。
【００８２】
制御信号を受信したキューブターレット動作制御部２３は、キューブターレット１０を動作して、観察光路上に選択されたキューブを配置する（ステップＳ６０５）。
【００８３】
メイン制御部３０は、シャッタ動作制御部１９Ａおよびシャッタ動作制御部１９Ｂにシャッタ８Ａおよびシャッタ８Ｂをオープンする制御信号を送信し、シャッタ動作制御部１９Ａおよびシャッタ動作制御部１９Ｂは受信した制御信号に基づき、シャッタ８Ａおよびシャッタ８Ｂをオープンするようモータを制御する（ステップＳ６０６）。
【００８４】
本実施の形態４では、１の光源５から射出される照射光が入射する同一光路上に２つのシャッタ８Ａおよびシャッタ８Ｂが配置される場合に、キューブの選択入力をトリガーとして、１の操作により、２つのシャッタ８を連動して動作可能とし、個別にシャッタの動作入力をするという煩雑な操作を省略しながら、試料２の退色も防止することができる。
【００８５】
実施の形態４において、同一光路上に２つのシャッタ８Ａおよびシャッタ８Ｂが配置される場合を例として説明したが、２以上であればよく、３以上のシャッタが接続されている場合でも、キューブの選択入力をトリガーとした１の操作で、３以上のシャッタを連動して操作し、操作に要する時間と手間を低減することができる。
【００８６】
また、実施の形態４では、シャッタ８Ａおよびシャッタ８Ｂを連動してクローズし、キューブの選択動作後、さらにシャッタ８Ａおよびシャッタ８Ｂを連動してオープンとしているが、シャッタ８Ａのクローズ動作、シャッタ８Ｂのオープン動作を連動して動作した後、キューブの選択動作後、さらに、シャッタ８Ａのみオープンとする動作条件としてもよい。あるいは、シャッタ８Ａのオープン動作、シャッタ８Ｂのクローズ動作を連動して動作した後、キューブの選択動作後、さらに、シャッタ８Ｂのみオープンとする動作条件としてもよい。
【００８７】
（実施の形態５）
実施の形態５にかかる顕微鏡装置は、１の落射光源からの照射光が入射する光路上に設置される複数のシャッタに加え、透過光源からの照明光の照射または遮断を切り替えるシャッタを備え、観察法の入力をトリガーとして、複数のシャッタを連動して動作する。図１６は、本発明の実施の形態５にかかる顕微鏡装置の概略構成を示す図である。
【００８８】
図１６に示すように、実施の形態５にかかる顕微鏡装置３００は、光源９と、光源９からの照明光の照射または遮断を切り替えるシャッタ８Ｅと、シャッタ８Ｅの動作を制御するシャッタ動作制御部１９Ｅと、光源９からの照明光を試料２に反射するミラー１６と、からなる透過照明光学系を備える。
【００８９】
顕微鏡装置３００の入力部２４は、観察法、たとえば、透過観察法、落射観察法、透過観察と落射観察を同時に行う同時観察法を選択するボタンまたはスイッチ等の選択部を有し、使用者は、選択部により観察法を選択入力する。
【００９０】
顕微鏡装置３００の記憶部２５は、入力部２４による観察法選択に対する、シャッタ８Ａ、シャッタ８Ｂおよびシャッタ８Ｅの動作条件のテーブルを記憶する。
【００９１】
本発明の実施の形態５にかかるシャッタ８Ａ、シャッタ８Ｂおよびシャッタ８Ｅの動作の手順について図を参照して説明する。図１７は、本発明の実施の形態５におけるシャッタ８Ａ、シャッタ８Ｂおよびシャッタ８Ｅの動作の手順を示すフローチャートである。図１８は、本発明の実施の形態５の記憶部に記憶される動作条件のテーブルの一例を示す図である。
【００９２】
なお、顕微鏡装置３００の起動時の動作については、上述した図２に示すフローチャートと同様に、シャッタおよびキューブターレットの接続確認と、シャッタおよびキューブターレットについての初期化とが行われる。ここで、本発明の実施の形態５における初期位置として、たとえば、透過観察法が選択されている場合、シャッタ８Ａおよびシャッタ８Ｂがクローズ、シャッタ８Ｅがオープンとなるため、メイン制御部３０は、初期位置の制御信号をシャッタ動作制御部１９Ａ、シャッタ動作制御部１９Ｂおよびシャッタ動作制御部１９Ｅに送信する。これにより、シャッタ８Ａおよびシャッタ８Ｂはクローズ、シャッタ８Ｅがオープンされる。
【００９３】
使用者は、入力部２４を介して観察法を選択入力する（ステップＳ７０１）。
【００９４】
観察法の選択入力後、メイン制御部３０は、動作条件を記憶部２５から取得する（ステップＳ７０２）。本実施の形態５では、図１８に示すような動作条件のテーブルが記憶部２５に記憶され、たとえば、使用者が落射観察法を選択した場合には、シャッタ８Ａおよびシャッタ８Ｂをオープン、シャッタ８Ｅをクローズとする。
【００９５】
初期化が透過観察法である場合、メイン制御部３０は、オープンであるシャッタ８Ｅをクローズ操作するために、シャッタ８Ｅをクローズする制御信号をシャッタ動作制御部１９Ｅに送信し、シャッタ８Ｅをクローズする（ステップＳ７０３）。これにより、試料２の退色を防止できる。
【００９６】
その後、メイン制御部３０は、ステップＳ７０１で選択された観察法の動作条件、すなわち、シャッタ８Ａおよびシャッタ８Ｂをオープンする制御信号をシャッタ動作制御部１９Ａおよびシャッタ動作制御部１９Ｂに送信する（ステップＳ７０４）。
【００９７】
制御信号を受信したシャッタ動作制御部１９Ａおよびシャッタ動作制御部１９Ｂは、シャッタ８Ａおよびシャッタ８Ｂを連動してオープンするよう、モータを制御する（ステップＳ７０５）。
【００９８】
本実施の形態５では、１の落射光源からの照明光が入射する光路上に設置される複数のシャッタ８と、透過光源からの照明光の照射または遮断を切り替えるシャッタとを、観察法の入力をトリガーとして、連動して動作することができるため、個別にシャッタの動作入力をするという煩雑な操作を省略しながら、透過観察と落射観察を切り替えることができる。
【００９９】
実施の形態５では、試料２の退色防止の観点から、一旦すべてのシャッタをクローズしているが、３つすべてのシャッタを連動して動作させてもよい。
【０１００】
（実施の形態６）
実施の形態６にかかる顕微鏡装置は、同一観察光路上に２つのキューブターレットが設置されるとともに、各キューブターレットに対する個別の光源からの照明光の照射または遮断を切り替える２つのシャッタがそれぞれ設置され、光路（光源）の選択入力により、複数のシャッタを連動して動作させる。図１９は、本発明の実施の形態６にかかる顕微鏡装置の概略構成を示す図である。
【０１０１】
図１９に示すように、実施の形態６にかかる顕微鏡装置４００は、試料２から反射された観察光が通過する光路上に２つのキューブターレット１０Ａおよびキューブターレット１０Ｄが設置されている。キューブターレット１０Ａおよびキューブターレット１０Ｄは、キューブターレット動作制御部２３Ａおよびキューブターレット動作制御部２３Ｄを介してメイン制御部３０と接続されている。
【０１０２】
キューブターレット１０Ａには、光源５Ａから照明光が入射され、光源５Ａからの照明光の第１光路上には、照明光の照射または遮断を切り替えるシャッタ８Ａおよびシャッタ８Ｂが設置される。また、キューブターレット１０Ｄには、光源５Ｄから照明光が入射され、光源５Ｄからの照明光の第２光路上には、照明光の照射または遮断を切り替えるシャッタ８Ｄおよびシャッタ８Ｆが設置される。シャッタ８Ａおよびシャッタ８Ｂは、シャッタ動作制御部１９Ａおよびシャッタ動作制御部１９Ｂを介してメイン制御部３０に接続され、シャッタ８Ｄおよびシャッタ８Ｆは、シャッタ動作制御部１９Ｄおよびシャッタ動作制御部１９Ｆを介してメイン制御部３０に接続される。また、キューブターレット１０Ａおよびキューブターレット１０Ｄは、キューブターレット動作制御部２３Ａおよびキューブターレット動作制御部２３Ｄを介してメイン制御部３０に接続される。
【０１０３】
光源５Ａから照射される光の第１光路上に、複数の励起フィルタ１４Ｂを内蔵するフィルタホイール１５Ｂが配置され、シャッタ８Ｂはフィルタホイール１５Ｂと同期する。また、光源５Ｄから照射される光の第２光路上に、複数の励起フィルタ１４Ｆを内蔵するフィルタホイール１５Ｆが配置され、シャッタ８Ｆはフィルタホイール１５Ｆと同期する。フィルタホイール１５Ｂおよびフィルタホイール１５Ｆは、フィルタホイール動作制御部２１Ｂおよびフィルタホイール２１Ｆを介してメイン制御部３０に接続される。
【０１０４】
また、観察光路上には、複数の吸収フィルタ１７Ａを内蔵するフィルタホイール１８Ａ、および複数の吸収フィルタ１７Ｆを内蔵するフィルタホイール１８Ｆが配置されている。フィルタホイール１８Ａはフィルタホイール１５Ｂに同期し、フィルタホイール１８Ｆはフィルタホイール１５Ｆに同期するように動作する。フィルタホイール１８Ａおよびフィルタホイール１８Ｆは、フィルタホイール動作制御部２２Ａおよびフィルタホイール２２Ｆを介してメイン制御部３０に接続される。
【０１０５】
本発明の実施の形態６にかかるシャッタ８Ａ、シャッタ８Ｂ、シャッタ８Ｄおよびシャッタ８Ｆの動作の手順について図を参照して説明する。図２０は、本発明の実施の形態６におけるシャッタ８Ａ、シャッタ８Ｂ、シャッタ８Ｄおよびシャッタ８Ｆの動作の手順を示すフローチャートである。図２１および図２２は、本発明の実施の形態６の記憶部に記憶される動作条件のテーブルの一例を示す図である。
【０１０６】
なお、顕微鏡装置４００の起動時の動作については、上述した図２に示すフローチャートと同様に、シャッタおよびキューブターレットの接続確認と、シャッタおよびキューブターレットについての初期化とが行われる。ここで、本発明の実施の形態６における初期位置が、たとえば、シャッタ８Ａおよびシャッタ８Ｂがクローズ、シャッタ８Ｄおよびシャッタ８Ｆがオープンとすると、メイン制御部３０は、初期位置の制御信号をシャッタ動作制御部１９Ａ、シャッタ動作制御部１９Ｂ、シャッタ動作制御部１９Ｄおよびシャッタ動作制御部１９Ｆに送信する。これにより、シャッタ８Ａおよびシャッタ８Ｂがクローズ、シャッタ８Ｄおよびシャッタ８Ｆがオープンされる。
【０１０７】
使用者は、入力部２４を介して使用する光路（光源）を選択入力する（ステップＳ８０１）。
【０１０８】
光路の選択入力後、メイン制御部３０は、動作条件を記憶部２５から取得する（ステップＳ８０２）。本実施の形態６では、図２１に示すような動作条件のテーブルが記憶部２５に記憶され、たとえば、使用者が第１光路を選択した場合には、第１光路上のシャッタ８Ａおよびシャッタ８Ｂをオープン、第２光路上のシャッタ８Ｄおよびシャッタ８Ｆをクローズとする。
【０１０９】
メイン制御部３０は、第１光路上のシャッタ８Ａおよびシャッタ８Ｂをオープン、第２光路上のシャッタ８Ｄおよびシャッタ８Ｆをクローズする制御信号を、シャッタ動作制御部１９Ａ、シャッタ動作制御部１９Ｂ、シャッタ動作制御部１９Ｄおよびシャッタ動作制御部１９Ｆに送信する（ステップＳ８０３）。
【０１１０】
制御信号を受信したシャッタ動作制御部１９Ａ、シャッタ動作制御部１９Ｂ、シャッタ動作制御部１９Ｄおよびシャッタ動作制御部１９Ｆは、連動してシャッタ８Ａおよびシャッタ８Ｂをオープン、シャッタ８Ｄおよびシャッタ８Ｆをクローズとするよう、モータを制御する（ステップＳ８０４）。
【０１１１】
その後、使用者が入力部２４を介してシャッタの動作を入力した場合、メイン制御部３０は、図３に示すフローチャートと同様に、動作条件を記憶部２５から取得して、複数のシャッタを連動して動作する。動作条件は、たとえば、図２２に示すようなテーブルとして記憶され、使用者がオープンを選択した場合には、選択されている第１光路上のシャッタ８Ａおよびシャッタ８Ｂのみをオープンとし、第２光路上のシャッタ８Ｄおよびシャッタ８Ｆはクローズのままとする。また、使用者がクローズを選択した場合には、選択されている第１光路上のシャッタ８Ａおよびシャッタ８Ｂのみをクローズとし、第２光路上のシャッタ８Ｄおよびシャッタ８Ｆはクローズのまま動作しない。
【０１１２】
本実施の形態６では、光源が２つあり、かつ各光源からの光路上にシャッタが２つ接続される場合でも、使用者の光路の選択により、複数のシャッタを連動して動作させ、観察で使用していない光路の遮断が可能となる。また、シャッタの１の動作による入力により、複数のシャッタを連動して動作させ、観察に使用している光路のみの開放及び遮断が可能となる。
【０１１３】
（実施の形態７）
実施の形態７にかかる顕微鏡装置は、同一光路上に２つのキューブターレットが設置されるとともに、各キューブターレットに対する個別の光源からの照明光の照射または遮断を切り替える２つのシャッタがそれぞれ設置される点で図１９に示す実施の形態６の顕微鏡装置４００と同一の構成をとるが、使用者が光路毎に使用するシャッタを選択した後、使用する光路を選択し、シャッタの動作入力をする点で、実施の形態６と異なる。
【０１１４】
本発明の実施の形態７にかかるシャッタ８Ａ、シャッタ８Ｂ、シャッタ８Ｄおよびシャッタ８Ｆの動作の手順について図を参照して説明する。まず、各光路におけるシャッタの選択動作について説明する。シャッタ選択では、第１光路および第２光路について、それぞれシャッタの選択を行う。図２３は、本発明の実施の形態７におけるシャッタの選択動作の手順を示すフローチャートである。
【０１１５】
なお、顕微鏡装置４００の起動時の動作については、上述した図２に示すフローチャートと同様に、シャッタおよびキューブターレットの接続確認と、シャッタおよびキューブターレットについての初期化とが行われる。ここで、本発明の実施の形態７における初期位置が、たとえば、シャッタ８Ａ、シャッタ８Ｂ、およびシャッタ８Ｆがオープン、シャッタ８Ｄをクローズとすると、メイン制御部３０は、初期位置の制御信号をシャッタ動作制御部１９Ａ、シャッタ動作制御部１９Ｂ、シャッタ動作制御部１９Ｄおよびシャッタ動作制御部１９Ｆに送信する。これにより、シャッタ８Ａ、シャッタ８Ｂ、およびシャッタ８Ｆがオープン、シャッタ８Ｄがクローズされる。
【０１１６】
使用者は、入力部２４を介して、第１光路で使用するシャッタを選択入力する（ステップＳ９０１）。
【０１１７】
メイン制御部３０は、第１光路で選択されたシャッタに対する動作条件を記憶部２５から取得する（ステップＳ９０２）。本実施の形態７では、図２４に示すような第１光路の動作条件のテーブルが記憶部２５に記憶され、たとえば、使用者がシャッタ８Ａを選択した場合には、シャッタ８Ａをクローズ、シャッタ８Ｂをオープンとする。使用するシャッタを一旦クローズとすることにより、試料２の退色を防止することができる。
【０１１８】
メイン制御部３０は、取得した動作条件でシャッタ８Ａおよびシャッタ８Ｂを動作する制御信号を、シャッタ動作制御部１９Ａおよびシャッタ動作制御部１９Ｂに送信し（ステップＳ９０３）、制御信号を受信したシャッタ動作制御部１９Ａおよびシャッタ動作制御部１９Ｂは、シャッタ８Ａおよびシャッタ８Ｂが連動して動作するようモータを制御する（ステップＳ９０４）。
【０１１９】
図２５は、本発明の実施の形態７におけるシャッタの選択動作の手順を示すフローチャートである。第１光路のシャッタ選択に続いて、使用者は、入力部２４を介して第２光路で使用するシャッタを選択入力し（ステップＳ１００１）、メイン制御部３０は、第２光路で選択されたシャッタに対する動作条件を記憶部２５から取得する（ステップＳ１００２）。本実施の形態７では、図２６に示すような第２光路の動作条件のテーブルが記憶部２５に記憶され、たとえば、使用者がシャッタ８Ｄを選択した場合には、シャッタ８Ｄをクローズ、シャッタ８Ｆをオープンとする。
【０１２０】
メイン制御部３０は、取得した動作条件でシャッタ８Ｄおよびシャッタ８Ｆを動作する制御信号を、シャッタ動作制御部１９Ｄおよびシャッタ動作制御部１９Ｆに送信し（ステップＳ１００３）、制御信号を受信したシャッタ動作制御部１９Ｄおよびシャッタ動作制御部１９Ｆは、シャッタ８Ｄおよびシャッタ８Ｆが連動して動作するようモータを制御する（ステップＳ１００４）。
【０１２１】
図２７は、本発明の実施の形態７におけるシャッタの動作の手順を示すフローチャートである。図２８は、本発明の実施の形態７における光路選択入力時の各シャッタの動作状態の一例を示す図である。第１光路および第２光路のシャッタ選択が終了すると、使用者は、入力部２４を介して使用する光路（光源）を選択入力し（ステップＳ１１０１）、メイン制御部３０は、光路の選択入力を検知する。
【０１２２】
その後、メイン制御部３０は、選択されていない光路の選択したシャッタがオープンであるか否かを判断する（ステップＳ１１０２）。ここで、メイン制御部３０は、選択されていない光路の選択したシャッタがオープンであると判断した場合（ステップＳ１１０２；Ｙｅｓ）、シャッタ動作制御部に制御信号を送信することにより、この選択したシャッタをクローズとし（ステップＳ１１０３）、ステップＳ１１０４に移行する。一方、メイン制御部３０は、選択されていない光路の選択したシャッタがオープンでない、すなわち、クローズであると判断した場合（ステップＳ１１０２；Ｎｏ）、ステップＳ１１０４に移行する。
【０１２３】
メイン制御部３０は、選択されていない光路のシャッタ制御を行った後、選択した光路の選択したシャッタがクローズであるか否かを判断する（ステップＳ１１０４）。ここで、メイン制御部３０は、選択した光路の選択したシャッタがクローズであると判断した場合（ステップＳ１１０４；Ｙｅｓ）、シャッタ動作制御部に制御信号を送信することにより、この選択したシャッタをオープンとし（ステップＳ１１０５）、シャッタの動作処理を終了する。一方、メイン制御部３０は、選択されていない光路の選択したシャッタがクローズでない、すなわち、オープンであると判断した場合（ステップＳ１１０４；Ｎｏ）、シャッタの動作処理を終了する。
【０１２４】
上述したシャッタの動作処理により、例えば、第１光路で使用するシャッタとしてシャッタ８Ｂが選択され、第２光路で使用するシャッタとしてシャッタ８Ｆが選択されている場合、使用者により第１光路が選択されると、シャッタ８Ａ、シャッタ８Ｂおよびシャッタ８Ｄをオープンとし、選択されたシャッタ８Ｆはクローズのままとする。また、使用者により第２光路が選択されると、シャッタ８Ａ、シャッタ８Ｄおよびシャッタ８Ｆをオープンとし、選択されたシャッタ８Ｂはクローズのままとする。
【０１２５】
図２９は、本発明の実施の形態７における選択したシャッタの動作の手順を示すフローチャートである。図３０は、本発明の実施の形態７の記憶部に記憶される動作条件のテーブルの一例を示す図である。光路選択が終了すると、使用者は、入力部２４を介してシャッタの動作入力をする（ステップＳ１２０１）。メイン制御部３０は、シャッタ動作制御部に制御信号を送信して、選択された光路の選択されたシャッタのみ動作するよう制御する（ステップＳ１２０２）。例えば、光路として第１光路が選択されている場合、図３０に示すように、シャッタをクローズとする動作が入力された場合、メイン制御部３０は、シャッタ動作制御部１９Ｂの制御によりシャッタ８Ｂをクローズとする。
【０１２６】
本実施の形態７では、光源が２つあり、かつ各光源からの光路上にシャッタが２つ接続される場合でも、使用者の光路の選択により、複数のシャッタを連動して動作させて、観察で使用していない光路の遮断が可能となる。また、シャッタの１の動作による入力により、複数のシャッタを連動して動作させて、観察に使用している光路のみの開放及び遮断が可能となる。
【０１２７】
本実施の形態７において、２つの光路上に２つのシャッタがそれぞれ配置される場合を例として説明したが、各光路に接続されるシャッタの数は２以上であればよく、３以上のシャッタが接続されている場合でも、同様にして１の操作で、３以上のシャッタを連動して操作し、操作に要する時間と手間を低減することができる。
【０１２８】
（実施の形態８）
実施の形態８にかかる顕微鏡装置は、選択されたシャッタをオープン又はクローズ、非選択のシャッタを全てオープンとするように動作させる点で、実施の形態３と同一の構成をとるが、シャッタ動作制御部１９Ａおよびシャッタ動作制御部１９Ｂが記憶部を有している点で、実施の形態３と異なる。図３１は、本発明の実施の形態８にかかる顕微鏡装置の概略構成を示す図である。
【０１２９】
実施の形態８にかかる顕微鏡装置５００において、シャッタ動作制御部１９Ａは、シャッタ８Ａの速度パラメータを記憶する記憶部１９１Ａを有する。また、シャッタ動作制御部１９Ｂは、シャッタ８Ｂの速度パラメータを記憶する記憶部１９１Ｂを有する。速度パラメータは、シャッタの動作にかかるパラメータであって、シャッタの開閉に関する速度などの情報が含まれる。
【０１３０】
続いて、本発明の実施の形態８にかかるシャッタ８Ａおよびシャッタ８Ｂの動作の手順について図を参照して説明する。図３２は、本発明の実施の形態８における複数のシャッタの動作の手順を示すフローチャートである。図３３は、本発明の実施の形態８の記憶部に記憶される動作条件のテーブルの一例を示す図である。
【０１３１】
図３２に示すように、顕微鏡装置５００の電源がＯＮされると、まず、メイン制御部３０は、シャッタ動作制御部１９Ａおよびシャッタ動作制御部１９Ｂに対してシャッタ８Ａおよびシャッタ８Ｂの接続確認を行う（ステップＳ１３０１）。
【０１３２】
その後、シャッタ８Ａおよびシャッタ８Ｂについて初期化を行う（Ｓ１３０２）。初期化によりシャッタ８Ａおよびシャッタ８Ｂを初期位置へ移動させる。初期位置として、たとえば、シャッタ８Ａおよびシャッタ８Ｂがオープンに設定されている場合、メイン制御部３０は、初期位置の制御信号をシャッタ動作制御部１９Ａおよびシャッタ動作制御部１９Ｂに送信する。これにより、シャッタ８Ａおよびシャッタ８Ｂがオープンされる。なお、初期位置は予め決められていてもよいし、前回最終使用時の位置としてもよい。さらに、全てのシャッタをクローズにすることを初期位置としてもよい。
【０１３３】
その後、メイン制御部３０は、記憶部１９１Ａおよび記憶部１９１Ｂを参照して、シャッタ８Ａおよびシャッタ８Ｂの速度パラメータをそれぞれ取得する（ステップＳ１３０３）。メイン制御部３０は、シャッタ８Ａおよびシャッタ８Ｂののうち、取得した速度パラメータが大きい方（最大）のシャッタを選択し（ステップＳ１３０４）、選択したシャッタを高速シャッタ（制御対象のシャッタ）として記憶部２５に登録する（ステップＳ１３０５）。
【０１３４】
メイン制御部３０は、高速シャッタの登録後、動作条件を記憶部２５から取得する（ステップＳ１３０６）。たとえば、記憶部２５には、図３３に示すような動作条件のテーブルが記憶されており、動作条件として、シャッタ８Ａが高速シャッタして登録された場合には、シャッタ８Ａをクローズ、シャッタ８Ｂをオープンとする。
【０１３５】
メイン制御部３０は、動作条件を取得後、取得した動作条件に基づき、シャッタ８Ａおよびシャッタ８Ｂの動作の制御信号をシャッタ動作制御部１９Ａおよびシャッタ動作制御部１９Ｂにそれぞれ出力する（ステップＳ１３０７）。
【０１３６】
シャッタ動作制御部１９Ａおよびシャッタ動作制御部１９Ｂは、受信した制御信号に基づき、シャッタ８Ａおよびシャッタ８Ｂを動作するようモータをそれぞれ制御する（ステップＳ１３０８）。これにより、シャッタ８Ａおよびシャッタ８Ｂが連動して動作する。
【０１３７】
図３４は、本発明の実施の形態８における高速シャッタの動作の手順を示すフローチャートである。図３５は、本発明の実施の形態８におけるシャッタ動作入力時の各シャッタの動作状態の一例を示す図である。使用者により入力部２４を介してシャッタの動作が入力された場合（ステップＳ１４０１）、メイン制御部３０は、ステップＳ１３０４で選択された高速シャッタのみを動作する制御信号を、シャッタ動作制御部に出力し、この高速シャッタのみを動作させる（ステップＳ１４０２）。入力部２４は、高速シャッタをオープンまたはクローズするボタンまたはスイッチ等の選択部を有し、メイン制御部３０は、高速シャッタとしてシャッタ８Ｂが登録されている場合、入力された動作指示を、図３５に示すように選択したシャッタ８Ｂのみがオープン又はクローズの動作をする旨の制御信号として出力する。
【０１３８】
本実施の形態８では、１の光源５から射出される照明光が入射する光路上に２つのシャッタ８Ａおよびシャッタ８Ｂが配置される場合でも、記憶部１９１Ａおよび記憶部１９１Ｂを参照してシャッタ８Ａまたはシャッタ８Ｂの１を高速シャッタとして登録することによって、光路の開放または遮断が可能となり、シャッタ８Ａおよびシャッタ８Ｂを互いに観察を阻害しない位置を判断して、個別にシャッタの動作入力をするという煩雑な操作を省略することができ、使用者の操作性の向上に貢献できるという効果を奏する。
【０１３９】
また、実施の形態８では、使用者がシャッタの選択入力を行わなくとも、自動的に高速シャッタのみを開閉動作するようにシャッタを登録して動作するため、使用者の選択入力を省略するとともに、光路の開放または遮断を行うことができる。
【０１４０】
実施の形態８において、同一光路上に２つのシャッタ８Ａおよびシャッタ８Ｂが配置される場合を例として説明したが、２以上であればよく、３以上のシャッタが接続されている場合でも、同様にして１の操作で、３以上のシャッタを連動して操作し、操作に要する時間と手間を低減することができる。
【０１４１】
また、実施の形態８において、例えば高速シャッタとして登録されたシャッタ８Ｂが、フィルタホイール１８との連動動作により、この連動動作終了時にクローズとなった場合、メイン制御部３０は、連動動作の終了を検知すると、シャッタ８Ａをクローズとし、シャッタ８Ｂをオープンとする制御を行う。これにより、シャッタ８Ｂが他のユニットとの連動動作により使用者の意図しないところで動作した場合であっても、その連動動作終了時にはシャッタ８Ｂがオープンとなっているため、使用者は、動作終了時にシャッタの状態を確認しなくとも、１の操作で、光路の開放または遮断が可能となり、使用者の操作性の向上に貢献できるという効果を奏する。なお、使用者の操作入力によって光路の開閉を行う場合は、高速シャッタとして登録されていないシャッタ８Ａによって光路の開閉を行う。また、フィルタホイール１８以外の他のユニットとの連動動作の場合も同様である。
【０１４２】
また、本実施の形態８の変形例８−１として、同一観察光路上に２つのキューブターレットが設置されるとともに、各キューブターレットに個別の光源からの照明光の照射または遮断を切り替える２つのシャッタがそれぞれ設置され、光路の選択入力により、複数のシャッタを連動して動作させる点で実施の形態８と異なる顕微鏡装置を例示することができる。
【０１４３】
図３６は、本発明の実施の形態８の変形例８−１にかかる顕微鏡装置の概略構成を示す図である。変形例８−１にかかる顕微鏡装置６００では、上述した記憶部１９１Ａおよび記憶部１９１Ｂに加え、シャッタ動作制御部１９Ｄは、シャッタ８Ｄの速度パラメータを記憶する記憶部１９１Ｄを有する。また、シャッタ動作制御部１９Ｆは、シャッタ８Ｆの速度パラメータを記憶する記憶部１９１Ｆを有する。
【０１４４】
本変形例８−１にかかるシャッタ８Ａ、シャッタ８Ｂ、シャッタ８Ｄおよびシャッタ８Ｆの動作の手順について図を参照して説明する。まず、各光路における高速シャッタの選択動作について説明する。シャッタ選択では、第１光路および第２光路について、それぞれ高速シャッタの選択を行う。図３７は、本発明の実施の形態８の変形例８−１における高速シャッタ選択の手順を示すフローチャートである。図３８は、本発明の実施の形態８の変形例８−１の記憶部に記憶される動作条件のテーブルの一例を示す図である。図３９は、本発明の実施の形態８の変形例８−１の記憶部に記憶される動作条件のテーブルの一例を示す図である。
【０１４５】
図３７に示すように、顕微鏡装置６００の電源がＯＮされると、まず、メイン制御部３０は、シャッタ動作制御部１９Ａ、シャッタ動作制御部１９Ｂ、シャッタ動作制御部１９Ｄおよびシャッタ動作制御部１９Ｆに対して、シャッタ８Ａ、シャッタ８Ｂ、シャッタ８Ｄおよびシャッタ８Ｆの接続確認を行う（ステップＳ１５０１）。
【０１４６】
その後、シャッタ８Ａ、シャッタ８Ｂ、シャッタ８Ｄおよびシャッタ８Ｆについて初期化を行う（Ｓ１５０２）。初期化によりシャッタ８Ａ、シャッタ８Ｂ、シャッタ８Ｄおよびシャッタ８Ｆを初期位置へ移動させる。初期位置として、たとえば、シャッタ８Ａ、シャッタ８Ｂ、シャッタ８Ｄおよびシャッタ８Ｆがオープンに設定されている場合、メイン制御部３０は、初期位置の制御信号をシャッタ動作制御部１９Ａ、シャッタ動作制御部１９Ｂ、シャッタ動作制御部１９Ｄおよびシャッタ動作制御部１９Ｆに送信する。これにより、シャッタ８Ａ、シャッタ８Ｂ、シャッタ８Ｄおよびシャッタ８Ｆがオープンされる。なお、初期位置は、予め決められていてもよいし、前回最終使用時の位置を初期位置としてもよい。さらに、全てのシャッタをクローズにすることを初期位置としてもよい。
【０１４７】
その後、メイン制御部３０は、記憶部１９１Ａ、記憶部１９１Ｂ、記憶部１９１Ｄおよび記憶部１９１Ｆを参照して、シャッタ８Ａ、シャッタ８Ｂ、シャッタ８Ｄおよびシャッタ８Ｆの速度パラメータをそれぞれ取得する（ステップＳ１５０３）。メイン制御部３０は、まず第１光路において、シャッタ８Ａおよびシャッタ８Ｂのうち、取得した速度パラメータが大きい方（最大）のシャッタを選択し（ステップＳ１５０４）、選択したシャッタを第１光路における高速シャッタとして記憶部２５に登録する（ステップＳ１５０５）。
【０１４８】
次に、メイン制御部３０は、第２光路において、シャッタ８Ｄおよびシャッタ８Ｆのうち、取得した速度パラメータが大きい方（最大）のシャッタを選択し（ステップＳ１５０６）、選択したシャッタを第２光路における高速シャッタとして記憶部２５に登録する（ステップＳ１５０７）。
【０１４９】
メイン制御部３０は、高速シャッタの登録後、動作条件を記憶部２５から取得する（ステップＳ１５０８）。たとえば、記憶部２５には、図３８，３９に示すような動作条件のテーブルが記憶されており、シャッタ８Ａが高速シャッタして登録された場合には、シャッタ８Ａをクローズ、シャッタ８Ｂをオープンとする。また、シャッタ８Ｄが高速シャッタして登録された場合には、シャッタ８Ｄをクローズ、シャッタ８Ｆをオープンとする。
【０１５０】
メイン制御部３０は、動作条件を取得後、取得した動作条件に基づき、シャッタ８Ａ、シャッタ８Ｂ、シャッタ８Ｄおよびシャッタ８Ｆの動作の制御信号をシャッタ動作制御部１９Ａ、シャッタ動作制御部１９Ｂ、シャッタ動作制御部１９Ｄおよびシャッタ動作制御部１９Ｆにそれぞれ出力する（ステップＳ１５０９）。
【０１５１】
シャッタ動作制御部１９Ａ、シャッタ動作制御部１９Ｂ、シャッタ動作制御部１９Ｄおよびシャッタ動作制御部１９Ｆは、受信した制御信号に基づき、シャッタ８Ａ、シャッタ８Ｂ、シャッタ８Ｄおよびシャッタ８Ｆを動作するようモータをそれぞれ制御する（ステップＳ１５１０）。これにより、シャッタ８Ａ、シャッタ８Ｂ、シャッタ８Ｄおよびシャッタ８Ｆが連動して動作する。
【０１５２】
図４０は、本発明の実施の形態８の変形例８−１における光路選択の手順を示すフローチャートである。図４１は、本発明の実施の形態８の変形例８−１における光路選択入力時の各シャッタの動作状態の一例を示す図である。第１光路および第２光路におけるシャッタ選択が終了すると、使用者は、入力部２４を介して使用する光路を選択入力し（ステップＳ１６０１）、メイン制御部３０は、光路の選択入力を検知する。
【０１５３】
その後、メイン制御部３０は、選択されていない光路の高速シャッタがオープンであるか否かを判断する（ステップＳ１６０２）。ここで、メイン制御部３０は、選択されていない光路の高速シャッタがオープンであると判断した場合（ステップＳ１６０２；Ｙｅｓ）、シャッタ動作制御部に制御信号を送信することにより、この高速シャッタをクローズとし（ステップＳ１６０３）、ステップＳ１６０４に移行する。一方、メイン制御部３０は、選択されていない光路の高速シャッタがオープンでない、すなわち、クローズであると判断した場合（ステップＳ１６０２；Ｎｏ）、ステップＳ１６０４に移行する。
【０１５４】
メイン制御部３０は、選択されていない光路のシャッタ制御を行った後、選択した光路の高速シャッタがクローズであるか否かを判断する（ステップＳ１６０４）。ここで、メイン制御部３０は、選択した光路の高速シャッタがクローズであると判断した場合（ステップＳ１６０４；Ｙｅｓ）、シャッタ動作制御部に制御信号を送信することにより、この高速シャッタをオープンとし（ステップＳ１６０５）、光路選択処理を終了する。一方、メイン制御部３０は、選択されていない光路の高速シャッタがクローズでない、すなわち、オープンであると判断した場合（ステップＳ１６０４；Ｎｏ）、光路選択処理を終了する。
【０１５５】
上述した光路選択処理により、たとえば、使用者が第１光路を選択し、シャッタ８Ｂおよびシャッタ８Ｆが高速シャッタとして登録されている場合には、図４１に示すように、シャッタ８Ａ、シャッタ８Ｂおよびシャッタ８Ｄがオープンとなり、選択されたシャッタ８Ｆはクローズのままとなる。また、使用者が第２光路を選択し、シャッタ８Ｂおよびシャッタ８Ｆが高速シャッタとして登録されている場合には、シャッタ８Ａ、シャッタ８Ｄおよびシャッタ８Ｆがオープンとなり、選択されたシャッタ８Ｂはクローズのままとなる。
【０１５６】
図４２は、本発明の実施の形態８の変形例８−１におけるシャッタの動作の手順を示すフローチャートである。図４３は、本発明の実施の形態８の変形例８−１における動作入力時の各シャッタの動作状態の一例を示す図である。光路選択が終了すると、使用者は、入力部２４を介してシャッタの動作入力をする（ステップＳ１７０１）。メイン制御部３０は、シャッタ動作制御部に制御信号を送信して、選択された光路の高速シャッタのみ動作するよう制御する（ステップＳ１７０２）。例えば、光路として第１光路が選択され、シャッタ８Ｂおよびシャッタ８Ｆが高速シャッタとして登録されている場合、図４３に示すように、シャッタをクローズとする動作が入力された場合、メイン制御部３０は、シャッタ動作制御部１９Ｂの制御によりシャッタ８Ｂをクローズとする。
【０１５７】
本変形例８−１では、光源が２つあり、かつ各光源からの光路上にシャッタが２つ接続される場合でも、使用者の光路の選択により、複数のシャッタを連動して動作させて、観察で使用していない光路の遮断が可能となる。また、シャッタの１の動作による入力により、複数のシャッタを連動して動作させて、観察に使用している光路のみの開放及び遮断が可能となる。
【０１５８】
また、本変形例８−１では、使用者がシャッタの選択入力を行わなくとも、自動的に高速シャッタのみを開閉動作するようにシャッタを登録して動作するため、使用者の選択入力を省略するとともに、光路の開放または遮断を行うことができる。
【産業上の利用可能性】
【０１５９】
以上のように、本発明にかかる顕微鏡装置および顕微鏡装置の電動光学ユニットの制御方法は、同種の光学ユニットが接続された顕微鏡装置に有用であり、特に、複数の照明光学系を有する倒立顕微鏡装置に適している。
【符号の説明】
【０１６０】
１  顕微鏡本体部
２  試料
３  ステージ
４  対物レンズ
５，５Ａ，５Ｄ  光源
６  接眼レンズ
７  撮像素子
８Ａ，８Ｂ，８Ｃ，８Ｄ，８Ｅ，８Ｆ  シャッタ
１０，１０Ａ，１０Ｄ  キューブターレット
１１，１３，１６  ミラー
１２  ビームスプリッター
１４，１４Ｂ，１４Ｆ  励起フィルタ
１５，１５Ｂ，１５Ｆ，１８，１８Ａ，１８Ｆ  フィルタホイール
１７，１７Ａ，１７Ｄ  吸収フィルタ
１９Ａ，１９Ｂ，１９Ｃ，１９Ｄ，１９Ｅ，１９Ｆ  シャッタ動作制御部
２１，２１Ｂ，２１Ｆ，２２，２２Ａ，２２Ｆ  フィルタホイール動作制御部
２３，２３Ａ，２３Ｄ  キューブターレット動作制御部
２４  入力部
２５，１９１Ａ，１９１Ｂ，１９１Ｄ，１９１Ｆ  記憶部
３０  メイン制御部
１００，２００，３００，４００，５００，６００  顕微鏡装置
【図１】
2013161899.tif 000003
【図２】
2013161899.tif 000004
【図３】
2013161899.tif 000005
【図４】
2013161899.tif 000006
【図５】
2013161899.tif 000007
【図６】
2013161899.tif 000008
【図７】
2013161899.tif 000009
【図８】
2013161899.tif 000010
【図９】
2013161899.tif 000011
【図１０】
2013161899.tif 000012
【図１１】
2013161899.tif 000013
【図１２】
2013161899.tif 000014
【図１３】
2013161899.tif 000015
【図１４】
2013161899.tif 000016
【図１５】
2013161899.tif 000017
【図１６】
2013161899.tif 000018
【図１７】
2013161899.tif 000019
【図１８】
2013161899.tif 000020
【図１９】
2013161899.tif 000021
【図２０】
2013161899.tif 000022
【図２１】
2013161899.tif 000023
【図２２】
2013161899.tif 000024
【図２３】
2013161899.tif 000025
【図２４】
2013161899.tif 000026
【図２５】
2013161899.tif 000027
【図２６】
2013161899.tif 000028
【図２７】
2013161899.tif 000029
【図２８】
2013161899.tif 000030
【図２９】
2013161899.tif 000031
【図３０】
2013161899.tif 000032
【図３１】
2013161899.tif 000033
【図３２】
2013161899.tif 000034
【図３３】
2013161899.tif 000035
【図３４】
2013161899.tif 000036
【図３５】
2013161899.tif 000037
【図３６】
2013161899.tif 000038
【図３７】
2013161899.tif 000039
【図３８】
2013161899.tif 000040
【図３９】
2013161899.tif 000041
【図４０】
2013161899.tif 000042
【図４１】
2013161899.tif 000043
【図４２】
2013161899.tif 000044
【図４３】
2013161899.tif 000045
【手続補正書】
【提出日】平成25年8月26日(2013.8.26)
【手続補正１】
【補正対象書類名】特許請求の範囲
【補正対象項目名】全文
【補正方法】変更
【補正の内容】
【特許請求の範囲】
【請求項１】
試料を載置するステージと、
前記ステージを保持する顕微鏡本体部と、
前記試料の下部に配置される対物レンズと、
前記試料を励起するための光を射出する１または複数の光源と、
複数の蛍光キューブを保持し、前記複数の蛍光キューブを選択的に観察光路に配置可能な１または複数のキューブターレットと、
前記試料の画像を撮像するための撮像素子と、
照明光路上に配置され、前記光源から射出された光を前記試料に対して照射または遮断を切り替える複数のシャッタと、
前記シャッタの動作指示の入力を受付可能な一つの入力部と、
前記入力部が受け付けた動作指示に応じた前記シャッタの動作条件を記憶する記憶部と、
前記シャッタの動作を制御する動作制御部と、
前記入力部が受け付けた動作指示に応じた動作条件を前記記憶部から取得し、取得した前記動作条件に基づき、前記動作制御部に指示信号を出力することで前記シャッタの状態を変化させる制御部と、
を備え、前記複数のシャッタのうちの一つのシャッタは、他のシャッタまたは前記キューブターレットが配置された照明光路と同一の照明光路上に配置されることを特徴とする顕微鏡装置。
【請求項２】
（削除）
【請求項３】
（削除）
【請求項４】
（削除）
【請求項５】
（削除）
【請求項６】
（削除）
【請求項７】
（削除）
【請求項８】
（削除）
【請求項９】
（削除）
【請求項１０】
（削除）
【請求項１１】
（削除）
【請求項１２】
（削除）
【請求項１３】
前記照明光路上に配置された前記顕微鏡本体部に内蔵された第一のシャッタと、
前記第一のシャッタと同一の照明光路上に配置され、前記顕微鏡本体部に着脱可能な第二のシャッタと、
を有し、
前記動作制御部は、前記第一および第二のシャッタをそれぞれ制御するとともに、各シャッタの開閉速度情報である速度パラメータをそれぞれ記憶し、
前記制御部は、各シャッタにかかる前記速度パラメータをもとに、前記第一および第二のシャッタの中から開閉速度の速いシャッタを選択することを特徴とする請求項１に記載の顕微鏡装置。
【請求項１４】
（削除）
【請求項１５】
前記照明光路上に配置された前記顕微鏡本体部に内蔵された第一のシャッタと、
前記第一のシャッタと同一の照明光路上に配置され、前記顕微鏡本体部に着脱可能な第二のシャッタと、
を有し、
前記入力部による動作指示は、前記光源から射出された光の前記試料に対する照射または遮断を切り替えるために前記シャッタを開または閉とする動作を指示するものであり、
前記入力部は、前記第一または第二のシャッタを選択する選択部を有し、
前記制御部は、前記選択部によって選択された前記シャッタのみ前記入力部による動作指示に応じて開または閉とする動作を行わせ、非選択のシャッタを開状態に維持させることを特徴とする請求項１に記載の顕微鏡装置。
【請求項１６】
試料を励起するための光を射出する第一および第二の光源と、
前記第一の光源から射出された光が導入される第一の照明光路上に配置された第一のキューブターレットと、
前記第二の光源から射出された光が導入される第二の照明光路上に配置された第二のキューブターレットと、
前記第一の光源と前記第一のキューブターレットとの間に配置された第一のシャッタと、
前記第二の光源と前記第二のキューブターレットとの間に配置された第二のシャッタと、
を有し、
前記第一および第二のキューブターレットは、同一の観察光路上に配置され、
前記入力部による動作指示は、前記光源から射出された光の前記試料に対する照射または遮断を切り替えるための前記第一および第二のシャッタを開または閉とする動作を指示するものであり、
前記入力部は、前記第一または第二の照明光路を選択する選択部を有し、
前記制御部は、前記選択部により選択された照明光路上のシャッタのみ前記入力部による動作指示に応じて開または閉とする動作を行わせ、非選択のシャッタを閉状態に維持させることを特徴とする請求項１に記載の顕微鏡装置。
【国際調査報告】
2013161899.tif 000046
2013161899.tif 000047
2013161899.tif 000048
2013161899.tif 000049